(57)【要約】【課題】膨大な情報量からなる生体情報としての遠隔の患者の生体信号を、簡便なモバイル端末機を使用して、インターネットを介して送信することにより、遠隔のモニタ装置においてこれをリアルタイムで受信して、常に適正かつ迅速に患者の生体情報についての診断を行うことができる医療情報テレメータシステムを提供する。【解決手段】生体信号を検出測定する信号検出器１０と、前記信号検出器により検出測定された生体信号を増幅しＡ／Ｄ変換すると共にこの変換された生体信号データを無線インタフェースを介して送信する増幅・Ａ／Ｄ変換手段１２と、前記増幅・Ａ／Ｄ変換手段により変換された生体信号データを無線インタフェースを介して受信すると共にこの生体信号データをパケット変換し、所要の無線通信回線およびプロバイダ１８を介してインターネット２０に接続してパケット送信を行うモバイル端末機１６と、前記インターネットにパケット送信された生体信号データをプロバイダ２２を介して接続受信し、所定の生体情報として表示する遠隔モニタ端末機２４とから構成する。【選択図】  図１
2004266399.tif 000002
【特許請求の範囲】
【請求項１】
生体信号を検出測定する信号検出器と、
前記信号検出器により検出測定された生体信号を増幅しＡ／Ｄ変換すると共にこの変換された生体信号データを無線インタフェースを介して送信する増幅・Ａ／Ｄ変換手段と、
前記増幅・Ａ／Ｄ変換手段により変換された生体信号データを無線インタフェースを介して受信すると共にこの生体信号データをパケット変換し、所要の無線通信回線およびプロバイダを介してインターネットに接続してパケット送信を行うモバイル端末機と、
前記インターネットにパケット送信された生体信号データをプロバイダを介して接続受信し、所定の生体情報として表示する遠隔モニタ端末機と、から構成してなることを特徴とする医療情報テレメータシステム。
【請求項２】
前記モバイル端末機は、ＰＣとＰＨＳ端末、ＰＤＡとＰＨＳ端末、ＰＨＳ電話機、携帯電話機を選択的に使用し、ＵＤＰ通信プロトコルにより患者の生体信号データをパケット変換して送信し、遠隔モニタ端末機においてリアルタイムに患者の生体情報をモニタ表示するように構成したことを特徴とする請求項１記載の医療情報テレメータシステム。
【請求項３】
前記生体信号を検出測定する信号検出器は、患者の標準１２誘導心電図を誘導検出するための４チャネルの心電信号を検出測定する電位検出器により構成し、遠隔モニタ端末機において、４チャネルの心電信号データを１２チャネルの心電信号データに変換して標準１２誘導心電図をモニタ表示するように構成したことを特徴とする請求項１または２記載の医療情報テレメータシステム。
【発明の詳細な説明】
【０００１】
【発明の属する技術分野】
本発明は、専用の通信回線とすることなく、携帯電話の通信ネットワークとインターネットとを利用することにより、在宅医療や訪問看護等における医療情報を容易かつ低コストに転送することができるように構成した医療情報テレメータシステムに関するものである。
【０００２】
【従来の技術】
従来、患者の医療情報を得るための手段として、例えば心電図モニタの場合は、病院内のＩＣＵやＣＣＵ部でしか利用することができないのが一般的である。しかるに、近年におけるコンピュータネットワーク技術の進歩に伴い、病院内のネットワークを利用して、患者の心電図等を遠隔モニタすることができるシステムも開発され、実用化されている。
【０００３】
例えば、２４時間異常の心電図のモニタを行うホルタ心電計において、データの解析、保管、整理のためのコンピュータとの通信インタフェースの利便性を向上させることを目的としたホルタ心電計装置が提案されている（特許文献１参照）。
【０００４】
すなわち、前記特許文献１に記載の発明は、既存のホルタ心電計装置に、メモリに蓄えた高能率圧縮したデータを外部機器に入力する手段として、赤外線通信装置を備えたことを特徴とするものであり、この赤外線通信装置は、コンピュータに予め決められた手順に従って通信し、モニタした心電図データを非接触で前記コンピュータに高速で入力する手段を備えている。そして、高能率圧縮した心電図データを、携帯電話器や携帯情報端末に適用される無線公衆網を利用して、遠隔配置されたコンピュータに送信し、データの蓄積および解析を行うように構成したものである。
【０００５】
また、患者の生体信号を検出して、この検出信号を無線送信する送信機と、生体信号モニタ装置に中継コードを介して着脱自在に接続し得るコネクタを備えると共に、前記送信機からの生体信号を受信する受信機を設けて、生体信号モニタ装置を有線方式でも無線方式でも容易かつ簡便に利用し得るように構成した医療用テレメータシステムが提案されている（特許文献２参照）。
【０００６】
すなわち、前記特許文献２に記載の発明は、患者の生体情報を得るため、生体信号測定装置等により測定される種々の生体信号を収集して、これらの収集された生体情報をホストコンピュータなどに接続される生体信号モニタ装置に対し、無線通信により遠隔送信し得る医療用テレメータシステムであって、特に有線方式により生体信号を収集するように構成された生体信号モニタ装置を、無線方式により生体信号を収集する生体信号モニタ装置として、簡便かつ容易に互換性のある接続ができるように構成したものである。
【０００７】
【特許文献１】
特開平９−２２４９１７号公報（特許請求の範囲および発明の詳細な説明の全般、図１〜図７）。
【特許文献２】
特開２００３−１０１３８号公報（特許請求の範囲および発明の詳細な説明の全般、図１〜図１２）。
【０００８】
【発明が解決しようとする課題】
しかしながら、上述したような遠隔心電図モニタでは、少数チャネルの心電図信号しかモニタできないのが現状である。そして、このような遠隔心電図モニタは、不整脈の診断には有効であるが、虚血による急性心疾患の診断には不十分である難点がある。
【０００９】
そこで、本発明者等は、鋭意研究並びに検討を重ねた結果、今日モバイル端末機として広く利用されている、ＰＣとＰＨＳ端末、ＰＤＡとＰＨＳ端末、ＰＨＳ電話機、携帯電話機を選択的に使用して、例えば患者の心電図を遠隔地のモニタ装置に転送する場合、（１）  電位検出器により患者の標準１２誘導心電図を誘導検出するための４チャネルの心電信号を検出測定し、（２）  この心電信号データを無線インタフェースを介して前記モバイル端末機に送信すると共に前記モバイル端末機において受信した心電信号データをパケット変換し、（３）  前記モバイル端末機を所要の無線通信回線およびプロバイダを介してインターネットに接続して、ＵＤＰ通信プロトコルによりパケット送信し、（４）  前記インターネットにパケット送信された心電信号データを遠隔モニタ端末機においてプロバイダを介して接続受信し、（５）  前記４チャネルの心電信号データを１２チャネルの心電信号データに変換して標準１２誘導心電図をモニタ表示する構成とすることにより、膨大な情報量を有する患者の心電図データをリアルタイムで遠隔のモニタ装置に転送することが可能となり、これにより在宅医療、訪問看護等の遠隔の患者や、救急患者等に対する心電図の診断を適正かつ迅速に行うことができることを突き止めた。
【００１０】
この場合、患者の心電図の診断に限らず、患者の脳波、筋電図、眼振図、体温、血圧、心音図、心拍出量、心磁図等の生体信号を対象とすることが可能であり、それぞれの生体信号データを、無線インタフェースを介してモバイル端末機に送信し、モバイル端末機では受信した生体信号データをパケット変換し、ＵＤＰ通信プロトコルにより、インターネットを介してパケット送信することにより、遠隔のモニタ受信を実現して、遠隔の患者に対する生体信号の診断を、リアルタイムで容易かつ簡便にして、しかも適正かつ迅速に達成することができる。
【００１１】
従って、本発明の目的は、膨大な情報量からなる生体情報としての遠隔の患者の生体信号を、簡便なモバイル端末機を使用して、インターネットを介して送信することにより、遠隔のモニタ装置においてこれをリアルタイムで受信して、常に適正かつ迅速に患者の生体情報についての診断を行うことができる医療情報テレメータシステムを提供することにある。
【００１２】
【課題を解決するための手段】
前記目的を達成するため、本発明の請求項１に記載の医療情報テレメータシステムは、生体信号を検出測定する信号検出器と、
前記信号検出器により検出測定された生体信号を増幅しＡ／Ｄ変換すると共にこの変換された生体信号データを無線インタフェースを介して送信する増幅・Ａ／Ｄ変換手段と、
前記増幅・Ａ／Ｄ変換手段により変換された生体信号データを無線インタフェースを介して受信すると共にこの生体信号データをパケット変換し、所要の無線通信回線およびプロバイダを介してインターネットに接続してパケット送信を行うモバイル端末機と、
前記インターネットにパケット送信された生体信号データをプロバイダを介して接続受信し、所定の生体情報として表示する遠隔モニタ端末機と、から構成してなることを特徴とする。
【００１３】
本発明の請求項２に記載の医療情報テレメータシステムは、前記モバイル端末機として、ＰＣとＰＨＳ端末、ＰＤＡとＰＨＳ端末、ＰＨＳ電話機、携帯電話機を選択的に使用し、ＵＤＰ通信プロトコルにより患者の生体信号データをパケット変換して送信し、遠隔モニタ端末機においてリアルタイムに患者の生体情報をモニタ表示するように構成したことを特徴とする。
【００１４】
本発明の請求項３に記載の医療情報テレメータシステムは、前記生体信号を検出測定する信号検出器として、患者の標準１２誘導心電図を誘導検出するための４チャネルの心電信号を検出測定する電位検出器により構成し、遠隔モニタ端末機において、４チャネルの心電信号データを１２チャネルの心電信号データに変換して標準１２誘導心電図をモニタ表示するように構成したことを特徴とする。
【００１５】
【発明の実施の形態】
次に、本発明に係る医療情報テレメータシステムの実施例につき、添付図面を参照しながら以下詳細に説明する。
【００１６】
図１は、本発明に係る医療情報テレメータシステムの一実施例を示すシステム構成図である。すなわち、本実施例において、医療情報としての生体信号を、患者の心電図、特に標準１２誘導心電図を対象とした場合について説明する。図１において、参照符号１０は、生体信号を検出測定する信号検出器であって、本実施例においては、標準１２誘導心電図を得るために必要な心電信号を検出測定するための電位検出器を示す。この電位検出器１０においては、例えば標準１２誘導心電図の誘導波形を得るための生体の体表面に装着された電極（ＲＡ、ＬＡ、Ｖ２、Ｖ４、ＬＬ、ＲＬ）から計測される４チャネルの心電信号（Ｉ、ＩＩ、Ｖ２、Ｖ４）を検出測定することができる。
【００１７】
このようにして、前記電位検出器１０により検出測定された心電信号（Ｉ、ＩＩ、Ｖ２、Ｖ４）は、これらの心電信号を増幅し、Ａ／Ｄ変換するための増幅・Ａ／Ｄ変換器１２に入力されると共に、この増幅・Ａ／Ｄ変換器１２においてＡ／Ｄ変換された心電信号データを、Ｂｌｕｅｔｏｏｔｈ（ブルートゥース）等の無線インタフェースを介してモバイル端末機１４へ送信する。
【００１８】
そこで、前記モバイル端末機１４としては、例えばＰＣとＰＨＳ、ＰＤＡとＰＨＳ、ＰＨＳ電話機、携帯電話機等を使用して、前記増幅・Ａ／Ｄ変換器１２から送信される心電信号データを受信する。また、モバイル端末機１４においては、受信された心電信号データをパケット変換し、所要の無線通信回線の中継局１６およびインターネットのプロバイダ１８を介して、インターネット２０に接続して送信を行う。この場合、モバイル端末機１４よりインターネット２０への心電信号データの送信に際しては、ＵＤＣ／ＩＰ等の通信プロトコルを使用して行う。
【００１９】
一方、遠隔受信モニタ側においては、前記インターネット２０に送信された心電信号データを、インターネットのプロバイダ２２を介して遠隔モニタ端末機２４を接続して受信することができる。この場合、遠隔モニタ端末機２４においては、受信された４チャネルの心電信号データを１２チャネルの心電信号データに変換して、標準１２誘導心電図をモニタ表示するように構成することができる。
【００２０】
このように構成される本実施例における医療情報テレメータシステムによれば、医療情報としての標準１２誘導心電図を、遠隔受信モニタ側において、遠隔の患者の情報としてリアルタイムに受信して、適正かつ迅速に診断を行うことができる。特に、本実施例においては、医療情報としての心電信号データをパケットに変換して送信することが特徴であり、これにより膨大な情報量となる心電信号データの容易かつ簡便な送信が可能となる。因みに、本実施例のパケットに含まれるデータは、パケットのインデックス（３２ｂｉｔ）および６４ｍｓ分の心電信号データ（１２ｂｉｔ×４ｃｈ×１６）が、１００ｂｙｔｅとなる。
【００２１】
次いで、本発明において、生体信号データをパケット送信する場合に生じる不都合等について検討した。
例えば、ＵＤＰからなる通信プロトコルを使用した場合、データパケットの到達性と到達順序が保障されない。すなわち、送信したデータパケットが受信側のサーバーへ届かず、消失（パケットロス）してしまう場合がある。また、サーバーに届いたパケットも、送信された順序通りに到達しておらず（パケット遅延）、データの並び替えの作業が必要となる場合がある。
そこで、前記のパケットロスに対しては、パケットを圧縮し、データ量を減らすことにより、パケットロスを減少させることが可能である。
また、パケット遅延に対しては、新しいデータを含むパケットが到達した後、古いデータを含むパケットの到達を待って、バッファ上でデータを並び替えることにより対応することが可能である。
さらに、データパケットに欠落を生じる送信エラーに対しては、予め冗長なデータを送信しておき、そのデータを元にエラーを回復する手法を採用することが可能である。
【００２２】
以上、本発明の好適な実施例について説明したが、本発明は前述した実施例に限定されることなく、本発明の精神を逸脱しない範囲内において、多くの設計変更を行うことができる。
【００２３】
【発明の効果】
前述した実施例から明らかな通り、本発明の請求項１および２に記載の医療情報テレメータシステムによれば、膨大な情報量からなる生体情報としての遠隔の患者の生体信号を、簡便なモバイル端末機を使用して、インターネットを介して送信することにより、遠隔のモニタ装置においてこれをリアルタイムで受信して、常に適正かつ迅速に患者の生体情報についての診断を行うことができる。
【００２４】
本発明の請求項３に記載の医療情報テレメータシステムによれば、医療情報としての心電図、特に標準１２誘導心電図を、遠隔受信モニタ側において、遠隔の患者の情報としてリアルタイムに受信して、適正かつ迅速に診断を行うことができる。
【図面の簡単な説明】
【図１】本発明に係る医療情報テレメータシステムの一実施例を示すシステム構成図である。
【符号の説明】
１０  電位検出器（信号検出器）
１２  増幅・Ａ／Ｄ変換器
１４  モバイル端末機
１６  中継局（無線通信回線）
１８  プロバイダ
２０  インターネット
２２  プロバイダ
２４  遠隔モニタ受信機
【図１】
2004266399.tif 000003